(57)【特許請求の範囲】
【請求項１】
開閉可能な第１のカバーの一部に開口部を設け、この開口部を開閉可能な第２のカバーで覆うようにした筐体において、前記第２のカバーの一端部に垂下片を設け、この垂下片の略中央箇所に、鋭角Ｖ字形の係止片を突設した円穴を設け、前記第１のカバーに設けられ、前記円穴に挿通するシャフトの少なくとも先端部に、鈍角Ｖ字形の切り込み部を形成して、この切り込み部を前記垂下片の円穴に挿通した状態に組み付けて、
第１のカバーと第２のカバーが閉まっている状態から第２のカバーを開けたときには、前記第２のカバーの鋭角Ｖ字形の係止片の一側端面が、第２のカバーが全開するまでは、前記第１のカバーのシャフトの鈍角Ｖ字形の切り込み部の一側面に当接せず、第１のカバーと第２のカバーが閉まっている状態から前記第１のカバーを開けたときには、前記シャフトの鈍角Ｖ字形の切り込み部の他側面が前記第２のカバーの鈍角Ｖ字形の係止片の他側端面に当接して、前記第２のカバーが前記第１のカバーと一体に開くように構成したことを特徴とする開閉カバーを有する筐体。
【請求項２】
前記第２のカバーは、前記第１のカバーの後端側の略中央箇所に形成された開口部に、開閉可能に配設されていることを特徴とする請求項１に記載の開閉カバーを有する筐体。
【発明の詳細な説明】
【０００１】
【発明の属する技術分野】
本発明は、開閉可能な第１のカバーの一部に開口部を設け、この開口部を第２のカバーで覆い、第１のカバーを開くときに第２のカバーが一体に開くようにした開閉カバーを有する筐体に関する。
【０００２】
【従来の技術】
従来、メインカバー等の第１のカバーの一部に設けられた開口部に補助カバー等の第２のカバーを開閉可能に設けた筐体では、第１のカバーから開口部に向けて当てリブ部を設けて、この当てリブ部の上に第２のカバーの縁部が乗るように構成し、第１のカバーを開けたときに第２のカバーが一体に開くようにしたものがあるが、これにおいては、開口部に向けて当てリブが設けてあるので、第２のカバーを開けたときに、開口面積が狭くなってしまうという問題があった。
【０００３】
また、実登録第２５０７４４４号公報には、蝶番装置が記載されている。これは、図３（ａ）（ｂ）（ｃ）、図４（ａ）（ｂ）（ｃ）に示すように、複数の回転体１０１、１０２の各軸支部１０５が相互に回転可能に同一固定軸に外挿されており、複数の回転体１０１、１０２の少なくとも一個の回転体１０１の軸支部１０５に、一端が他の回転体１０２に係止され他端が自由端となっているコイルばね１０６が密接状態で外挿されているものである。ところが、これは、第１のカバーの開口部に第２のカバーが開閉可能に設けられたものには、適用できないものであった。
【０００４】
【発明が解決しようとする課題】
本発明は、上記従来の問題を解消し、第２のカバーを開いた状態で、この第２のカバーが配された第１のカバーの開口部の開口面積が狭くならず、第２のカバーを単独に開くことができるとともに、第１のカバーを開いたときに第２のカバーを一体に開くことができて、両方のカバーを別々に開かなくても両方のカバーを一度に開くことができ、しかも簡単な構造で、第１のカバーと第２のカバーとの両方を開くときの使い勝手が良い開閉カバーを有する筐体を提供することを目的としている。
【０００５】
【課題を解決するための手段】
上記課題を解決するために、請求項１に記載の発明は閉可能な第１のカバーの一部に開口部を設け、この開口部を開閉可能な第２のカバーで覆うようにした筐体において、前記第２のカバーの一端部に垂下片を設け、この垂下片の略中央箇所に、鋭角Ｖ字形の係止片を突設した円穴を設け、前記第１のカバーに設けられ、前記円穴に挿通するシャフトの少なくとも先端部に、鈍角Ｖ字形の切り込み部を形成して、この切り込み部を前記垂下片の円穴に挿通した状態に組み付けて、第１のカバーと第２のカバーが閉まっている状態から第２のカバーを開けたときには、前記第２のカバーの鋭角Ｖ字形の係止片の一側端面が、第２のカバーが全開するまでは、前記第１のカバーのシャフトの鈍角Ｖ字形の切り込み部の一側面に当接せず、第１のカバーと第２のカバーが閉まっている状態から前記第１のカバーを開けたときには、前記シャフトの鈍角Ｖ字形の切り込み部の他側面が前記第２のカバーの鈍角Ｖ字形の係止片の他側端面に当接して、前記第２のカバーが前記第１のカバーと一体に開くように構成したことを特徴とするものである。請求項２に記載の発明は、前記第２のカバーは、前記第１のカバーの後端側の略中央箇所に形成された開口部に、開閉可能に配設されていることを特徴としている。
【０００６】
【発明の実施の形態】
以下、本発明に係る開閉カバーを有する筐体の実施の形態について、図を参照しつつ説明する。図１は本発明の実施形態の開閉カバーを有する筐体を示し、（ａ）はその斜視図、（ｂ）はその要部の拡大部分斜視図、図２は第１のカバーと第２のカバーを開くときの要部である軸部の動作を示す部分拡大断面図であって、（ａ）は第１のカバーと第２のカバーが閉まっている状を示し、（ｂ）は第２のカバーだけを開いた状態を示し、（ｃ）は第１のカバーを開いたときに第２のカバーが一体に開く状態を示すものである。
【０００７】
本実施形態の開閉カバーを有する筐体は、図１（ａ）に示すように、筐体本体１には、その前側面から上面に至る開口部１１が形成されており、この開口部１１を覆うメインカバーからなる第１のカバー２が開閉可能に設けられ、この第１のカバー２の後端側の略中央箇所に形成された開口部２１に、補助カバーからなる第２のカバー３が開閉可能に配設されている。そして、図１（ｂ）、図２（ａ）に示すように、第２のカバー３の一端部に垂下片３１が設けられ、この垂下片３１の略中央箇所に、鋭角Ｖ字形の係止片３２を突設した円穴３３が設けられ、第１のカバー２に設けられ、円穴３２に挿通するシャフト２２の先端部に、鈍角Ｖ字形の切り込み部２３が形成されていて、この切り込み部２３が垂下片３１の円穴３３に挿通した状態に組み付けられている。
【０００８】
すると、図２（ｂ）に示すように、第１のカバー２と第２のカバー３が閉まっている状態（図２（ａ）の状態）から第２のカバー３を開けたときには、第２のカバー３の鋭角Ｖ字形の係止片３２の一側端面３４が、第２のカバー３が全開するまでは、第１のカバー２のシャフト２２の鈍角Ｖ字形の切り込み部２３の一側面２４に当接せずに、第２のカバー２を単独に開けることができるようになっており、図２（ｃ）に示すように、第１のカバー２と第２のカバー３が閉まっている状態（図２（ａ）の状態）から第１のカバー２を開けたときには、シャフト２２の鈍角Ｖ字形の切り込み部２３の他側面２５が第２のカバー３の鈍角Ｖ字形の係止片３２の他側端面３５に当接して、第２のカバー３が第１のカバー２と一体に開くようになっている。
【０００９】
従って、図２（ａ）の状態から第２のカバー３を開いた状態で、この第２のカバー３が配された第１のカバー２の開口部２１の開口面積が狭くならず、第２のカバー３を単独に開くことができるとともに、図２（ａ）の状態から第１のカバー２を開いたときに第２のカバー３を一体に開くことができて、両方のカバー２、３を別々に開かなくても両方のカバー２、３を一度に開くことができる。このことにより、簡単な構造で、第１のカバーと第２のカバーとの両方を開くときの使い勝手が良い利点がある。
【００１０】
【発明の効果】
以上説明したように、請求項１に記載の発明によれば、第１のカバーと第２のカバーが閉まっている状態から第１のカバーの開口部を覆う第２のカバーを開けたときには、第２のカバーの鋭角Ｖ字形の係止片の一側端面が、第２のカバーが全開するまでは、第１のカバーのシャフトの鈍角Ｖ字形の切り込み部の一側面に当接せずに第２のカバーだけを開けられ、第１のカバーと第２のカバーが閉まっている状態から第１のカバーを開けたときには、第１のカバーのシャフトの鈍角Ｖ字形の切り込み部の他側面が第２のカバーの鈍角Ｖ字形の係止片の他側端面に当接して、第２のカバーが第１のカバーと一体に開くようにしているので、第２のカバーを開いた状態で、この第２のカバーが配された第１のカバーの開口部の開口面積が狭くならず、第２のカバーを単独に開くことができるとともに、第１のカバーを開いたときに第２のカバーを一体に開くことができて、両方のカバーを別々に開かなくても両方のカバーを一度に開くことができるようになり、簡単な構造で、第１のカバーと第２のカバーとの両方を開くときの使い勝手が良い等の効果を奏する。
【００１１】
請求項２に記載の発明によれば、第２のカバーは、第１のカバーの後端側の略中央箇所に形成された開口部に、開閉可能に配設されているので、第２のカバーだけを支障なく簡単に開けることができ、第１のカバーを開けるときには、第２のカバーを一体に支障なく簡単に開けることができる。
【図面の簡単な説明】
【図１】  本発明の実施形態の開閉カバーを有する筐体を示し、（ａ）はその斜視図、（ｂ）はその要部の拡大部分斜視図である。
【図２】  第１のカバーと第２のカバーを開くときの要部である軸部の動作を示す部分拡大断面図であって、（ａ）は第１のカバーと第２のカバーが閉まっている状態を示し、（ｂ）は第２のカバーだけを開いた状態を示し、（ｃ）は第１のカバーを開いたときに第２のカバーが一体に開く状態を示すものである。
【図３】  従来の蝶番装置を示し、同図（ａ）、（ｂ）、（ｃ）はそれぞれ同上蝶番装置の正面図、左側面図、底面図である。
【図４】  （ａ）は図３（ａ）のＡ−Ａ線断面図、（ｂ）は図３（ｂ）のＢ−Ｂ線断面図、（ｃ）は図３（ｂ）のＣ−Ｃ線断面図である。
【符号の説明】
２  第１のカバー
２１  開口部
２２  シャフト
２３  鈍角Ｖ字形の切り込み部
２４  一側面
２５  他側面
３  第２のカバー
３１  垂下片
３２  鋭角Ｖ字形の係止片
３３  円孔
３４  一側端面
３５  他側端面
【図１】
0003685378.tif 000002
【図２】
0003685378.tif 000003
【図３】
0003685378.tif 000004
【図４】
0003685378.tif 000005